【事件の表示】
　特願２００３−３０４８１４「縁無し眼鏡」拒絶査定不服審判事件〔平成１６年　４月３０日出願公開、特開２００４−１３３４２５〕について、次のとおり審決する。
【結　論】
　本件審判の請求は、成り立たない。
【理　由】
第１　手続の経緯
　本願は、平成１５年（２００３年）８月２８日（パリ条約による優先権主張、平成１４年８月２８日、フランス）の出願（特願２００３−３０４８１４号）であって、平成２０年１月１１日付で拒絶査定がなされ、これに対して、平成２０年４月２１日付で拒絶査定不服審判の請求がなされたものである。
　
第２　本願発明 
　本願の請求項１〜１０に係る発明は、平成１９年１２月１８日付手続補正書により補正された特許請求の範囲、明細書及び図面の記載から見て、その特許請求の範囲の請求項１〜１０に記載されたとおりのものであるところ、その請求項１に記載された発明（以下、「本願発明」という。）は、以下のとおりである。
　
「二つのレンズ（Ｖ）を相互に連結するブリッジ（２）、および二つの蝶番留めした側アーム（３）を含み、各側アーム（３）が斜めの水平軸（Ｘ）を中心とした使用のための展開位置とレンズ（Ｖ）の内面に対する折り畳み位置との間で回動するように取り付けられた縁無し眼鏡であって、
　各側アーム（３）が一体構造の蝶番リンク（１０）を介して対応するレンズ（Ｖ）に連結され、
　前記蝶番リンク（１０）がレンズ（Ｖ）の内面（９）に対して固定されかつ回転が阻止された内部（１１）およびレンズ（Ｖ）から側方向に逸れた外部（２１）を有し、
　前記側アーム（３）が側アーム（３）の終端アイレット（３．１）を介して外部（２１）の背面に蝶番留めされ、
　前記レンズの内面（９）は前記蝶番リンクの内部（１１）の前平面（１２）を付勢し、各前記蝶番リンク（１０）の外部（２１）は傾斜垂直面に形成された後ファセット（２２）を有し、かつ前記後ファセット（２２）に対して対応する側アーム（３）の終端アイレット（３．１）が保持され、
　各前記蝶番リンク（１０）の内部（１１）および外部（２１）は共に鈍角折れを形成し、かつ前記内部に対する前記外部の角位置の調節を可能にする延性を有する中心部（３１）により共に連結されていることを特徴とする、縁無し眼鏡。」
　
第３　引用例
　原査定の拒絶の理由に引用された特開平８−２３４１４５号公報（以下、「引用例」という）には、図面の記載とともに次の事項が記載されている。（後述の引用発明の認定において直接用いた記載に、下線を付した。）
　
「【００１２】『第１実施例』図２に示すように、本実施例は、所謂「ツーポイント式眼鏡フレーム」に斜軸丁番を適用したものである。即ち、左右一対の眼鏡レンズ１・１は、レンズ周縁付近において、
ボルトとナットから成るレンズ保持手段２
【００１３】そして、
これら眼鏡レンズ１、レンズ保持手段２、ブリッジ３、及びエンドピース４により眼鏡フロントＦが構成されており、本発明の最大の特徴である斜軸丁番手段５は、この眼鏡フロントＦの左右のエンドピース４・４の外端側に、後述する角度位置を保って配置されることにより、耳掛テンプル６を折り畳み自在にヒンジ連結する
【００１４】図４及び図５に示す如く、本実施例の丁番手段５は、エンドピース４の端部に形成した第一係止ピン51、テンプル６の基端側に形成した第二係止ピン52、及びこれら第一係止ピン51と第二係止ピン52とを相対回動自在に連結する止着部材53から構成されている。
【００１５】本実施例の第一係止ピン51は、
金属丸線材から成るエンドピース４の外端部を眼鏡フロントＦに対して水平角度約４５°方向内側へ曲げ加工することによって形成されており
金属丸線材から成るテンプル６
【００１６】また、本実施例の止着部材53は、ポリウレタン樹脂にて直方体状に形成されており、その側面には前記係止ピン51・52とほぼ同径の連結孔53ａ・53ａが一対、開設されている。これら止着部材53の連結孔53ａ・53ａへ、前記第一係止ピン51と第二係止ピン52とがそれぞれ軸回り回動自在に挿嵌されているのである。
【００１７】つまり、眼鏡フロントＦを含む略垂直な起立平面として仮想フロント面αを想定し、更に、拡開状態にあるテンプル６を含む略垂直な起立平面として仮想テンプル面βを想定したとき、この第一係止ピン51又は第二係止ピン52はほぼ、仮想フロント面αと仮想テンプル面βとが成す二面角を略二等分する二等分ヒンジ面γ上において水平状態に横倒するごとく配置されているのである（図１参照）。
【００１８】このように、本実施例の眼鏡フレームにあっては、丁番手段５の回動軸（即ち第一係止ピン51と第二係止ピン52）が略水平状態に横倒され、且つ、眼鏡フロントＦに対し約４５°の角度を成す如く配置されているため、
耳掛テンプル６は、この丁番手段５を頂点とする頂角約９０°の円錐形の側面形状の軌跡を描きつつ回動動作を行ない（図２参照）、眼鏡フロントＦに折り畳まれることになるのである（図３及び図６参照）
【００１９】また、逆に、テンプル６を眼鏡使用状態に拡開したときには、第一係止ピン51がフック部51ａでテンプル６へ衝合し、さらに第二係止ピン52がフック部52ａでエンドピース４へ衝合することによって、このテンプル６の円錐状回動が適正な回動角度範囲に規制されるのである。
【００２０】なお、図４及び図６においては、第二係止ピン52のみが角度約１８０°軸回り動作することによってテンプル６が折り畳まれる様子を示しており、このテンプル６の円錐状回動の回動軸線Ｇ1 は第二係止ピン52上に表しているが、実際には本実施例は、前述した如く第一係止ピン51および第二係止ピン52が両方共に軸回り可能に止着部材53に挿嵌されているので、耳掛テンプル６は、第一係止ピン51および第二係止ピン52の両方をその回動軸として回動動作することになる。」
　
「【００３１】『第２実施例』次に、図８及び図９を参照しながら、第２実施例に係る斜軸丁番を備えたツーポイント式眼鏡フレームを説明する。本実施例の眼鏡フレームは、斜軸の丁番手段５として、丁番ねじを用いた周知の丁番部品を採用したものである。他の構成は、前述した第１実施例と同様であり、図８及び図９には斜軸丁番手段５の部分のみ示している。
【００３２】本実施例の
丁番手段５は、エンドピース４端部に配設された雌こま部材54と、テンプル６の基端側に形成された雄こま部材55と、これら雌こま部材54および雄こま部材55をヒンジ連結する丁番ねじ56とから構成されている。
【００３３】つまり、眼鏡フロントＦを含む略垂直な起立平面として仮想フロント面αを想定し、さらに拡開状態にあるテンプル６を含む略垂直な起立平面として仮想テンプル面βを想定したとき、この丁番ねじ56はほぼ、仮想フロント面αと仮想テンプル面βとが成す二面角を略二等分する二等分ヒンジ面γ上において水平状態に配置されているのである（図１参照）。
【００３４】このように、本実施例の眼鏡フレームにあっては、
丁番手段５の回動軸（即ち丁番ねじ56；回動軸線Ｇ1 ）が水平に横倒され、且つ、眼鏡フロントＦに対して約４５°の角度を成すごとく配置されている
　
　【図２】ないし【図９】から、
縁なし眼鏡
　【図８】【図９】から、
エンドピース４は一体構造であって、一端側で眼鏡レンズの外面側からレンズ保持手段２によって眼鏡レンズ１に保持され、他端側は、眼鏡レンズ１から側方向に延在して、耳掛テンプル６が回動可能に連結している
　
　上記記載から、引用例１には、
「眼鏡レンズ１、レンズ保持手段２、ブリッジ３、及びエンドピース４により眼鏡フロントＦが構成されており、斜軸丁番手段５は、この眼鏡フロントＦの左右のエンドピース４・４の外端側に配置されることにより、耳掛テンプル６を折り畳み自在にヒンジ連結し、耳掛テンプル６は、この丁番手段５を頂点とする頂角約９０°の円錐形の側面形状の軌跡を描きつつ回動動作を行ない、眼鏡フロントＦに折り畳まれ、該回動動作において回動軸線Ｇ１は眼鏡フロントＦに対して約４５°の角度を成すごとく配置されている縁なし眼鏡あって、
　エンドピース４は一体構造であって、一端側は、眼鏡レンズの外面側からレンズ保持手段２によって眼鏡レンズ１に保持され、他端側は、眼鏡レンズ１から側方向に延在して耳掛テンプル６と回動可能に連結しており、
　レンズ保持手段２は、ボルト・ナットからなっており、
　エンドピース４とテンプル６を回動可能に連結する丁番手段５は、エンドピース４端部に配設された雌こま部材54と、テンプル６の基端側に形成された雄こま部材55と、これら雌こま部材54および雄こま部材55をヒンジ連結する丁番ねじ56とから構成され、
　エンドピース４は、金属丸線材を曲げ加工することによって形成された縁なし眼鏡。」の発明（以下、「引用発明」という）が記載されている。
　
第４　対比
　本願発明と引用発明とを対比する。
　
　引用発明の「眼鏡レンズ１」、「ブリッジ３」及び「テンプル６」が、それぞれ、本願発明の「レンズ（Ｖ）」、「ブリッジ（２）」及び「側アーム（３）」に相当し、引用発明において「耳掛テンプル６を折り畳み自在にヒンジ連結」した点が、本願発明において「（側アームを）蝶番留め」した点に相当する。
　
　引用発明の「回動軸線Ｇ１」は、耳掛テンプル６の回動動作の回動軸であるから、本願発明の「水平軸（Ｘ）」に相当し、引用発明において「回動軸線Ｇ１は眼鏡フロントＦに対して約４５°の角度を成すごとく配置されている」点が、本願発明において「（水平軸が）斜め」である点に相当する。
　
　引用発明の「エンドピース４」は、本願発明の「蝶番リンク（１０）」に相当し、引用発明において「エンドピース４は一体構造であって、一端側は、眼鏡レンズの外面側からレンズ保持手段２によって眼鏡レンズ１に保持され、他端側は、・・・耳掛テンプル６と回動可能に連結して」いる点が、本願発明において「各側アーム（３）が一体構造の蝶番リンク（１０）を介して対応するレンズ（Ｖ）に連結され」る点に相当する。
　
　引用発明の「エンドピースの一端側」が、本願発明の「蝶番リンクの内部」に相当するといえるから、引用発明において「エンドピース４は、・・・一端側は、眼鏡レンズの外面側からレンズ保持手段２によって眼鏡レンズ１に保持され、・・・レンズ保持手段２は、ボルト・ナットからなって」いる点と、本願発明において「前記蝶番リンク（１０）がレンズ（Ｖ）の内面（９）に対して固定されかつ回転が阻止された内部（１１）」を有する点とは、「前記蝶番リンクがレンズに対して固定されかつ回転が阻止された内部」を有する点で共通している。
　また、引用発明の「エンドピース４は・・・、他端側は、眼鏡レンズ１から側方向に延在して」いる点は、本願発明の「前記蝶番リンク（１０）が・・・側方向に逸れた外部（２１）を有し」ている点に相当する。
　
　引用発明の「テンプル６の基端側に形成された雄こま部材55」は、本願発明の「側アーム（３）の終端アイレット（３．１）」に相当するから、引用発明において「エンドピース４とテンプル６を回動可能に連結する丁番手段５は、エンドピース４端部に配設された雌こま部材54と、テンプル６の基端側に形成された雄こま部材55と、これら雌こま部材54および雄こま部材55をヒンジ連結する丁番ねじ56とから構成され」る点と、本願発明において「前記側アーム（３）が側アーム（３）の終端アイレット（３．１）を介して外部（２１）の背面に蝶番留めされ」る点とは、「側アームが側アームの終端アイレットを介して（蝶番リンクの）外部に蝶番留めされ」る点で共通している。
　
　引用発明の「テンプル６の基端側に形成された雄こま部材55」は、本願発明の「側アーム（３）の終端アイレット（３．１）」に相当するから、引用発明の「エンドピース４とテンプル６を回動可能に連結する丁番手段５は、エンドピース４端部に配設された雌こま部材54と、テンプル６の基端側に形成された雄こま部材55と、これら雌こま部材54および雄こま部材55をヒンジ連結する丁番ねじ56とから構成され」る点と、本願発明の「各前記蝶番リンク（１０）の外部（２１）は傾斜垂直面に形成された後ファセット（２２）を有し、かつ前記後ファセット（２２）に対して対応する側アーム（３）の終端アイレット（３．１）が保持され」る点とは、「蝶番リンクの外部において、対応する側アームの終端アイレットが保持され」る点で共通している。
　
　引用発明の「エンドピース４は、金属丸線材を曲げ加工することによって形成された」点と、本願発明の「各前記蝶番リンク（１０）の内部（１１）および外部（２１）は共に鈍角折れを形成し、かつ前記内部に対する前記外部の角位置の調節を可能にする延性を有する中心部（３１）により共に連結されている」点とは、「蝶番リンクが延性を有する部材からなる」点で共通している。
　
　よって、本願発明と引用発明は、
「二つのレンズを相互に連結するブリッジ、および二つの蝶番留めした側アームを含み、各側アームが斜めの水平軸を中心とした使用のための展開位置とレンズの内面に対する折り畳み位置との間で回動するように取り付けられた縁無し眼鏡であって、
　各側アームが一体構造の蝶番リンクを介して対応するレンズに連結され、
　前記蝶番リンクがレンズに対して固定されかつ回転が阻止された内部およびレンズから側方向に逸れた外部を有し、
　前記側アームが側アームの終端アイレットを介して外部に蝶番留めされ、
　各前記蝶番リンクの外部に対して対応する側アームの終端アイレットが保持され、
　各前蝶番リンクが延性を有する部材からなる縁無し眼鏡。」である点で一致し、以下の各点で相違する。
　
相違点１；
　本願発明の蝶番リンクが「レンズの内面に固定され」、「前記レンズの内面は前記蝶番リンクの内部の前平面を付勢」するのに対し、引用発明のエンドピース（蝶番リンクに相当）は眼鏡レンズの外面側から眼鏡レンズに固定されている点。
　
相違点２；
　本願発明においては、側アームが「（蝶番リンクの）外部の背面に蝶番留めされ」、「前記蝶番リンクの外部の背面は「傾斜垂直面に形成された後ファセットを有」するのに対し、引用発明においてはそのような限定がない点。
　
相違点３；
　延性を有する部材からなる蝶番リンクに関して、本願発明の蝶番リンクは、「蝶番リンクの内部および外部は共に鈍角折れを形成し、かつ前記内部に対する前記外部の角位置の調節を可能」な中心部により連結されているのに対して、引用発明のエンドピース（蝶番リンクに相当）は、金属丸線材を曲げ加工することによって形成されたものである点。
　
第５　当審の判断
１　上記各相違点について検討する。
（１）相違点１について
　縁なし眼鏡において、レンズと側アーム（テンプル）とを連結する連結部材を、レンズの内側に固定することについても、外側に固定することについても、例えば、
・特開２００２−１８９１９５号公報（【図１】〜【図６】参照）
・特開２００１−１３４６５号公報（【０００９】【図３】【図９】参照）
・特開平７−２１８８７２号公報（【００４７】【図２１】【図２２】参照）
にも記載されているように周知の技術であり、上記連結部材をレンズの内側から固定するか、外側から固定するかは、当業者が必要に応じて適宜選択可能な事項である。また、「前記レンズの内面は前記蝶番リンクの内部の前平面を付勢」することについては、本願明細書の発明の詳細な説明を参酌してもネジ止めされている例が示されているだけであって、単に「蝶番リンクをレンズの内面に固定する」ことと実質的に違いがないものと認められる。
　
（２）相違点２について
　側アームと蝶番リンクの蝶番留めに関して、側アーム端部と蝶番リンクの外部の位置関係は、側アーム端部が、蝶番リンクの、背面に位置する、前面に位置する、内部に位置する、のいずれかの態様が想定されるが、どの態様の位置関係を選択するかは、当業者が必要に応じて適宜選択し得る事項である。
　そして、引用発明においても、エンドピースをレンズの内側に固定することによって生じ得る側アーム（テンプル）とエンドピースの干渉を避けること、及び、レンズの湾曲に対応可能とすることを勘案して、上記位置関係について、側アーム（テンプル）端部が蝶番リンク（エンドピース）の背面に位置するようにして、上記相違点２に係る本願発明の発明特定事項を得ることは、当業者が容易に想到し得た事項である。
　なお、側アーム端部が蝶番リンクの背面に位置するようにした際に、側アームが蝶番リンクに対して回動可能とするために、面上を面の垂直線に対して傾斜した軸が前記面の垂直線を中心として回動可能に連結されるための周知のリンク構造を採用して「蝶番リンクの外部の背面は傾斜垂直面に形成された後ファセットを有する」ように構成することは、当業者が容易に想到し得た事項に過ぎない。
　
（３）相違点３について
　まず、引用例１の記載においても、【図８】からも認められるように、レンズの内面とテンプル６の基端側のこま部材５５が回動する面がなす角は鈍角であるから、エンドピース（蝶番リンク）が内側からレンズに固定された場合には、その内部及び外部がなす角は鈍角となることは容易に想定される事項である。すなわち、相違点３は、蝶番リンクをレンズの内面側に固定したことによって生じる設計的事項に過ぎないといえる。
　
　また、縁なし眼鏡の蝶番リンクの構造に関して、「蝶番リンクの内部および外部は共に鈍角折れを形成」する構造とすることは、例えば、
・特開２００２−１８９１９５号公報（【図１】〜【図６】参照）
・特開平７−２１８８７２号公報（【図２１】【図２２】参照）
にも記載されているように周知の技術であり、そして、縁なし眼鏡の蝶番リンクをどのような構造とするかは、蝶番リンクの強度や眼鏡全体の構造（側アームの開き具合など）を勘案して当業者が適宜設定し得る事項であるから、引用発明においても、上記周知技術を採用し、「蝶番リンクの内部および外部は共に鈍角折れを形成」する構造として、上記相違点３に係る本願発明の発明特定事項を得ることは、当業者が容易に想到し得た事項である。
　
　なお、引用発明の蝶番リンクが金属丸線材からなることにかんがみれば、上記周知技術を採用することにより、「内部に対する前記外部の角位置の調節を可能」となるものと認められるが、念のため付言すれば、蝶番リンクの角位置（開き具合）を調整可能とすることは、例えば、
・実願平４−９０３８１号（実開平６−５００２７号）のＣＤ−ＲＯＭ（【０００７】参照）
・特開平１０−１１１４８０号公報（【０００４】参照）
にも記載されているように周知の技術である。
　
２　本願発明の奏する作用効果
　そして、本願発明によってもたらされる効果は、引用発明及び従来周知の技術事項から、当業者が予測し得る程度のものである。
　
３　まとめ
　したがって、本願発明は、引用発明及び従来周知の技術事項に基づいて当業者が容易に発明をすることができたものである。
　
第６　むすび
　以上より、本願発明は、引用例に記載された発明、及び従来周知の技術事項に基づいて当業者が容易に発明をすることができたものであるから、特許法第２９条第２項の規定により特許を受けることができない。
　したがって、その余の請求項に係る発明について論及するまでもなく、本願は拒絶すべきものである。
　
　よって、結論のとおり審決する。